(57)【要約】      （修正有）【課題】天気が変わったり、車両でトンネルを出入りしたりするときなど、周囲の明るさが変わったとき、光透過率を調節出来るサングラスを提供する。【解決手段】レンズ部分が横長の偏光板からなる偏光サングラスの裏面に、フレーム枠を介して、もう一枚の横長の偏光板が、回転可能に取りつけられる。２枚の偏光板の間の光吸収軸の角度と光透過率の関係を計算した結果、光吸収軸の間の角度が２５度から６５度の間が透過率の変化が大きい事から、その範囲で裏面の偏光板の回転角度を３０度以内とし、偏光板の上下を逆方向に動かすことで偏光板の中心を保持して回転するようにして、前面の偏光板との位置のズレを最小限にして、光透過率を調整できるようにした。【選択図】図２
0003192867.tif 000002
【実用新案登録請求の範囲】
【請求項１】
レンズ部分が横長の偏光板からなる偏光サングラスの裏面に、フレーム枠を介してもう一枚の横長の偏光板を、２０度以上３０度以下回転できるように取り付け、回転によって光透過率を調整できる様にしたサングラスで、横長の偏光板の横幅／縦幅の比が１．１以上であるもの
【考案の詳細な説明】
【技術分野】
【０００１】
本考案は、天気が変わったり、車両でトンネルを出入りしたりするときなど、周囲の明るさが変わったとき、光透過率を調節出来るサングラスに関わるものである。
【背景技術】
【０００２】
従来、車両運転中やスポーツ中、太陽光から目を守るためサングラスをかける者が多いが、運転ではトンネル通過時や、スポーツでも晴れと曇りで、しばしばサングラスの光透過率を変える必要が起こる。光透過率を変える技術は知られており、日差しの強さを感知して自動的に調光出来る電子サングラスやホトクロミックサングラスの他、偏光板２枚を一方は固定し、１方を回転して調光出来るサングラスは考えられていた。しかし、電子サングラスでは、比較的高価で、ホトクロミックサングラスでは変色が遅く、使用者の意思によって調節できない欠点がある。偏光板を２枚使うサングラスも考えられているが、一方の偏光板を９０度回転させるために、メガネフレームとレンズ部分が円形をしている必要が有り、特殊な用途にしか使えない欠点が有った。人間の目は横長であり、また、眼鏡は容姿を決める重要な要因であることから、実用的にも、デザイン的にも横長の形状が好ましいと見られる（ここで横長とは、眼鏡として見苦しくない範囲で横幅が縦幅より長い事を意味し、少なくともレンズ部分の横幅／縦幅の比が１．１以上のものを指すこととする）。本考案は、レンズ部が横長で、光透過率を調整できるサングラスに関するものである。
【先行技術文献】
【特許文献】
【０００３】
【特許文献１】特開平６−２７４２５
【特許文献２】特開平６−１８６５０９
【特許文献３】特開２０００−１７１７６０
【特許文献４】登録実用新案第３０３１６５２号
【考案の概要】
【考案が解決しようとする課題】
【０００４】
サングラスのレンズ部分に2枚の偏光板を使い、一方の偏光板を０から９０度まで回して、サングラスの光透過率を大幅に変える事が出来る特許が出願されているが、回転の為にレンズ部分に該当する偏光板が円形をしていることが要件になっている。円形の理由は、回転のため枠が円形である必要が有る他に、横長では回転したとき偏光板がサングラスの枠からはみ出す事、また、サングラスのレンズ部分が球面加工されているデザインでは、回転で偏光板同士の中心がズレるとぶつかる可能性が有る事などが考えられる。しかし、サングラスは顔の中心に有り、容姿に影響するため、デザインが良いかが重要な要素であり、身体的にも人間の目は横長で、サングラスも横長が良く、円形の物の需要はほとんど無いのが現状である。本考案は2枚の偏光板の組み合わせで、レンズ部分が横長でも調光できるサングラスを与えるものである。
【課題を解決するための手段】
【０００５】
サングラスのレンズ部分に２枚の偏光板を使い、１枚を前面のフレーム枠に固定し、２枚目を裏面でフレーム枠の中で回転させて調光することを考える。偏光板の透過軸方向の光透過率をTsx、吸収軸方向の光透過率をTsyとし、TsxとTsyが同じ偏光板２枚を角度θで重ねたときの光透過率Iは、数式１で表される。例として、市販の染料系の偏光板について、平行透過率３８％、直交透過率０．０５６％の偏光板を逆算すると、Tsxが８７％、Tsyが０．０６５％となる。図１にこの偏光板を吸収軸を重ねて置いた時の吸収軸の角度を０度とし、一方の偏光板の吸収軸の角度を０度から９０度まで回転した時の角度と光透過率の関係を示す。図１から光透過率の変化は、角度が０から２５度までと、６５度から９０度までは変化が小さく、角度が２５から６５度の間が変化が大きい。２５から６５度の間では２０度の回転で透過率は１．８から２倍（１２．５％から２５．４％）、３０度の回転で透過率は最大３倍（９．５％から２８％）ほど変わる。ちなみに、平行透過率３８％、直交透過率０．２５％、偏光度９８．６％程度と偏光度が低い偏光板でも同様で、一般の偏光板を使えば、３０度以下の小さな回転で光透過率を少なくとも２倍程度は変えられる。しかし、サングラスのレンズ部分の大きさはおおよそ横幅５．５から６cm、縦幅が４．５から５ｃｍ程度（この場合横は両目を結ぶ方向、縦は鼻筋方向を指すこととする）で、横幅が大きい偏光板の一方のハシを固定して回転させると反対のハシは最低２０度の回転でも、少なくとも２×π×５ｃｍ×（２０／３６０）＝１．７ｃｍ以上移動することになり、偏光板がサングラスから大きくはみ出し、強度的にも外観的にも問題が有る。また、レンズ部が球面で、裏面も球面の場合は裏面の偏光板は前面の偏光板とぶつからざるを得ない。レンズ部分の偏光板の横幅／縦幅の比を2以下程度に、回転角度を２０度から３０度以下に限定し、裏面の偏光板の上部と下部を逆方向に動かすことでレンズの中心を保ったまま回転させれば、レンズ部のぶつかり合いは避けられ、裏面の偏光板のはみ出しも小さく抑える事が出来る。このためには、図２の如く、裏面の偏光板の上下に突起を付け、上部の突起部分と下部の突起部分を同時に指で逆方向に動かして回転させる方法と、図３の如く、上部と下部をフレーム枠に沿った糸でつなぎ、上部または下部の一方を指で回転させる方法、図４の如く、右目のレンズ部の上部と下部と、左目の上部と下部をフレーム枠に沿って糸でつなぎ、右と左のレンズ部を同時に回転させる方法などが有り、いずれの方法でも中心を保ちながら裏面の偏光板を回転できる。突起部分は直接指で触るようにしても良いが、デザイン上、突起にカバーを被せてレバーとしても良い。これによってレンズ部の中心を保ちながら回転させた場合、１枚目の偏光板を固定した状態で２枚目の偏光板を回転させても、２枚目の偏光板の中心のずれはほとんど無く、周辺部のズレも図５、図６、図７のごとく、前面の偏光板の周辺部と裏面の偏光板の周辺部とは２ｍｍ以下程度のズレで収まり、必要ならこのズレを２ｍｍ以上の太さのフレームでフレーム内に隠すことも出来る。このためには、偏光板の横／縦比を小さくするなどの方法で、２０から30度回転した時、裏面の偏��板の前面の偏光板からのはみだしが小さく、例えば４ｍｍ以下程度のデザインにすれば、回転角２０度から３０度程度の回転で透過率を大幅に変えられるサングラスが出来る。回転角は２０度以下なら従来のサングラスのデザインなら、回転ズレは小さいが、デザインも考慮すれば３０度回転させても回転ズレの小さいものが出来る。このようにすれば、サングラスのレンズ部分が球面加工してある場合でも、中心位置のブレで回転が出来なくなる事も無く、安価に調光出来るサングラスが得られる。なお、サングラス用の偏光板は、通常染料系のものが使われるが、ヨウ素系の偏光板でも良い。また、偏光板の保護フィルムは位相差が無い酢酸セルロース系等のものが良いが、これに限るものでは無い。
【数１】
0003192867.tif 000003
【考案の効果】
【０００６】
２枚の偏光板を使って、安価に、光透過率を２から３倍まで変えられ、デザイン的にも良いサングラスが得られる。
【図面の簡単な説明】
【０００７】
【図１】前面と裏面の2枚の偏光板の吸収軸間の角度を変えたときの、角度と光透過率の関係を示す図
【図２】サングラス使用者が指で上部と下部の突起を逆方向に動かして、中心を保ちながら裏面の偏光板を回転させる仕組みを表す。
【図３】眼鏡フレームの周囲にレールを付け、突起を指で動かしたとき、糸がレールに沿って動き、偏光板が中心を保ちながら回転する仕組みを表す。
【図４】左右の眼鏡フレームにレールを付け、指で操作した時、レールの上を糸が通過するようにして、左右の裏面の偏光板を同時に回転出来るようにした仕組みを表す。
【図５】前面と裏面の偏光板が楕円形をしたサングラスで、裏面の偏光板を２０度回転した時の周囲のズレが小さい事を表す図
【図６】レンズの形状が楕円形から外れたものについて、裏面の偏光板を１０度左回転した時の前面偏光板とのズレが小さい事を表す図
【図７】レンズ部の形状が楕円形からかなり外れたものについて、裏面の偏光板を１０度右回転させたときの前面偏光板とのズレも小さく出来る事を表す図
【産業上の利用可能性】
【０００８】
運転時や、日中日差しが変わったときなど、サングラスの光透過率を変えることで、視界を確保でき、危険性を減らす事が出来る。
【図１】
0003192867.tif 000004
【図２】
0003192867.tif 000005
【図３】
0003192867.tif 000006
【図４】
0003192867.tif 000007
【図５】
0003192867.tif 000008
【図６】
0003192867.tif 000009
【図７】
0003192867.tif 000010